(57)【要約】【課題】簡易に股下寸法を調整でき、調整後の寸法が維持され、かつ見た目が改善されたズボン等の衣服を提供することを目的とする。【解決手段】ズボン（１）において、左右１対の股下部（３，３）の各々の下端部（９）は、左右１対の板状の芯材（１０，１０）を有する。芯材は、曲げに対する弾発性を有する。芯材の弾発性や、左右１対の芯材の周方向端部の互いの離間距離は、股下寸法を調整するべく下端部を内側に折り返した状態において、ズボンが着用者に着用されたとき、折り返された部分が、対応する股下部の折り返されていない部分の下縁の近傍部分から離反せず、かつ、着用者の脚部に当接するように設定される。【選択図】図３
2019094600.tif 000002
【特許請求の範囲】
【請求項１】
着用者の脚部を覆う左右１対の股下部を有し、
前記左右１対の股下部の各々の下端部は、周方向に沿って延在して上下方向を軸とする曲げに対して弾発性を有する板状の芯材が取り付けられた芯部と、前記芯材の周方向端部間に位置して前記芯部よりも撓みやすい易可撓性部とを有し、
股下寸法を調整するべく前記下端部を内側に折り返した状態において、前記芯部が、前記芯材の弾発性によって、対応する前記股下部の折り返されていない部分であって前記芯部に重なる部分から離反しないように構成されたことを特徴とする股下寸法を調整可能な衣服。
【請求項２】
前記芯材が互いに対向するように左右１対設けられており、
股下寸法を調整するべく前記下端部を内側に折り返した状態において、前記着用者に着用されたとき、前記芯部が、直接又は間接に前記脚部に当接するように構成されたことを特徴とする請求項１に記載の衣服。
【請求項３】
前記左右１対の股下部の各々は、前記易可撓性部を通る前後２つのクリーズ線を有し、
前記易可撓性部の周方向幅は、２ｍｍ〜１０ｍｍであることを特徴とする請求項２に記載の衣服。
【請求項４】
前記芯材は、その延在方向に沿った線で折り返され、又は互いに固定されるように重ねられた樹脂製の織物を含むことを特徴とする請求項１〜３のいずれか一項に記載の衣服。
【請求項５】
前記芯材は、前記股下部の裏面に取り付けられたことを特徴とする請求項１〜４のいずれか一項に記載の衣服。
【発明の詳細な説明】
【技術分野】
【０００１】
本開示は、股下寸法を調整できるズボン等の衣服に関する。
【背景技術】
【０００２】
ズボンの股下寸法を着用者に合わせて調整する（裾上げする）場合、裾を縫製し直すことが一般的であるが、この手段は手間がかかる。そこで、簡易に股下寸法を調整できる手段が提案されている。例えば特許文献１では、股下部の下端部の裏面に凸型のスナップボタンを固定し、その上方に複数の凹型のスナップボタンを一定の間隔で固定したズボンが提案されている。このズボンにおいて、下端部を内側に折り返し、凸型のスナップボタンを凹型のスナップボタンのいずれかに係合させることによって、股下寸法を多段階に調整できる。
【先行技術文献】
【特許文献】
【０００３】
【特許文献１】特開２００６−２９１３８４号公報
【発明の概要】
【発明が解決しようとする課題】
【０００４】
しかしながら、特許文献１に記載の手段では、着用時に足が内側に折り返された部分に引っ掛かり、凸型のスナップボタンと凹型のスナップボタンとの係合が外れて、調整した寸法が維持されないおそれがあるという問題があった。また、スナップボタンを縫い付けるための糸がズボンの表面から見えるため、特に、高さ方向に複数設けられる凹型のスナップボタンの縫い糸が比較的高い位置に存在するため、見た目を損なうという問題があった。また、さらに簡単に股下寸法を調整したいという需要もあった。
【０００５】
本発明は、このような問題を鑑み、簡易に股下寸法を調整でき、調整後の寸法が維持され、かつ見た目が改善された衣服を提供することを目的とする。
【課題を解決するための手段】
【０００６】
本発明の少なくともいくつかの実施形態に係る股下寸法を調整可能な衣服（１）は、着用者の脚部を覆う左右１対の股下部（３，３）を有し、前記左右１対の股下部の各々の下端部（９）は、周方向に沿って延在して上下方向を軸とする曲げに対して弾発性を有する板状の芯材（１０）が取り付けられた芯部（１３）と、前記芯材の周方向端部間に位置して前記芯部よりも撓みやすい易可撓性部（１４）とを有し、股下寸法を調整するべく前記下端部を内側に折り返した状態において、前記芯部が、前記芯材の弾発性によって、対応する前記股下部の折り返されていない部分であって前記芯部に重なる部分から離反しないように構成されたことを特徴とする。
【０００７】
この構成によれば、下端部を折り返すことによって簡単に股下寸法を調整でき、芯材の弾発力によって下端部の折り返された状態が維持され、芯材を取り付けることによって生じる意匠性への影響は下端部のみに生じるため、見た目が改善される。また、易可撓性部が撓むことにより、下端部の折り返しが容易となり、かつ、下端部が内側に折り返されたときの下端部の周長の変化に対応できる。
【０００８】
本発明の少なくともいくつかの実施形態に係る股下寸法を調整可能な衣服は、上記構成において、前記芯材が互いに対向するように左右１対設けられており、股下寸法を調整するべく前記下端部を内側に折り返した状態において、前記着用者に着用されたとき、前記芯部が、直接又は間接に前記脚部に当接するように構成されたことを特徴とする。ここで、芯部が、「直接」に着用者の脚部に当接するとは、芯部が、直接、着用者の脚部の肌に当接することを意味し、「間接」に着用者の脚部に当接するとは、股下部の本体の折り返された部分や、着用者が履いている靴下等を介して着用者の脚部に当接することを意味する。
【０００９】
この構成によれば、下端部の体軸側及び脇側が、１対の芯材の弾発性によって着用者の足首に当接するため、左右の下端部の体軸側同士がこすれることを防止できる。また、収納時に、左右１対の芯材が互いに重なるように衣服を折り畳めば、嵩張らない。
【００１０】
本発明の少なくともいくつかの実施形態に係る股下寸法を調整可能な衣服は、上記構成において、前記左右１対の股下部の各々は、前記易可撓性部を通る前後２つのクリーズ線（７，８）を有し、前記易可撓性部の周方向幅は、２ｍｍ〜１０ｍｍであることを特徴とする。
【００１１】
この構成によれば、下端部を折り返しやすく、着用時に易可撓性部に足を引掛け難く、かつ、クリーズ線（センタープレス）を崩さないように、１対の芯材の周方向端部同士の離間距離が設定される。
【００１２】
本発明の少なくともいくつかの実施形態に係る股下寸法を調整可能な衣服は、上記構成のいずれかにおいて、前記１対の芯材の各々は、その延在方向に沿った線で折り返され、又は互いに固定されるように重ねられた樹脂製の織物を含むことを特徴とする。
【００１３】
この構成によれば、耐クリーニング性や、縫製又は接着容易性等の衣服に対する適正が実証されているインサイドベルト等の衣服の芯地の弾発性を高めることができ、これを芯材として使用することができる。
【００１４】
本発明の少なくともいくつかの実施形態に係る股下寸法を調整可能な衣服は、上記構成のいずれかにおいて、前記芯材は、前記股下部の裏面に取り付けられたことを特徴とする。
【００１５】
この構成によれば、下端部を折り返さない場合、すなわち、最も股下寸法を大きくして使用する場合であっても、意匠性に対する悪影響を低減できる。
【発明の効果】
【００１６】
本発明によれば、簡易に股下寸法を調整でき、調整後の寸法が維持され、かつ見た目が改善された衣服を提供することができる。
【図面の簡単な説明】
【００１７】
【図１】実施形態に係るズボンの正面図
【図２】実施形態に係るズボンの背面図
【図３】実施形態に係るズボンの下部の拡大展開図
【図４】実施形態に係るズボンの使用状態を示す縦断面図
【発明を実施するための形態】
【００１８】
以下、図面を参照して、本発明の実施形態について説明する。図１及び図２は、実施形態に係るズボン１の正面図及び背面図である。上下、左右及び前後等の方向は、特に断らない限り、ズボン１を着用した着用者から見た、立位における方向に従う。ズボン１は、着用者の下腹部及び臀部を覆う股上部２と、股上部２の下方に位置し、着用者の脚部を覆う左右１対の股下部３，３とを有する。また、股上部２及び左右１対の股下部３，３の本体部分は、前身頃４と後身頃５とが互いに縫い合わされることにより構成されている。各々の股下部３は、左右方向の体軸側及び脇側で、前身頃４と後身頃５とが互いに縫い合わされ、その縫い代６（図３参照）は、各々の股下部３の裏面側に位置する。各々の股下部３の前後には、前クリーズ線７及び後クリーズ線８が形成されている。各々の股下部３の下端部９は、１対の芯材１０，１０を有する。股上部２の上端に形成されたベルト部１１は、ゴム区間１２等のウエスト寸法を調整できる構造を有することが好ましい。
【００１９】
図３は、左の股下部３を後クリーズ線８で切断して展開し、下端部９の裏面側を拡大して示した図である。下端部９は、１対の芯材１０，１０が取り付けられた左右１対の芯部１３，１３と、１対の芯材１０，１０の周方向端部間に位置して芯部１３よりも撓みやすい前後１対の易可撓性部１４，１４とを有する。前後のクリーズ線７，８は、対応する易可撓性部１４を通過する。各々の芯材１０は、周方向に延在する板状の部材であり、下端部９を芯材１０の上辺又は下辺に合わせて折り返したときの折り目が水平になるように、上辺及び下辺が水平に配置された長方形であることが好ましい。ここで、周方向とは、各々の股下部３を筒状に広げたときの周方向を指す。
【００２０】
１対の芯材１０，１０は、互いに同形であることが好ましく、互いの主面が左右方向に対向するように配置される。各々の芯材１０は、縫製により下端部９の本体の裏面に取り付けられる。縫製に代えて接着剤で各々の芯材１０を取り付けてもよい。
【００２１】
下端部９を折り返すときに、１対の芯材１０，１０が互いに干渉しないように、１対の芯材１０，１０の周方向端部同士は互いに離間させており、その間が易可撓性部１４となる。その離間距離（易可撓性部１４の周方向幅）は、下端部９を折り返し易くするため２ｍｍ以上、かつ、前後のクリーズ線７，８を崩さないようにするため１０ｍｍ以下であることが好ましく、さらに好ましくは４ｍｍである。また、下端部９を内側（裏側）に折り返したときに下端部９の周長が短くなるが、その周長の変化に対応するため、各々の易可撓性部１４が撓む。また、易可撓性部１４の周方向幅を大きくすると、下端部９を内側に折り返したときに、易可撓性部１４がたるんで着用時に足を引掛けやすくなるため、これを抑制するためにも、易可撓性部１４の周方向幅は、１０ｍｍ以下とすることが好ましい。
【００２２】
１対の芯材１０，１０は上下方向を軸とする曲げに対して弾発性を有する。下端部９を折り返したときに、奇数回の折り返しでも、偶数回の折り返しでも略等しい弾発力を得るために、各々の芯材１０は、力が負荷されていない状態では、平板形状であることが好ましい。１対の芯材１０，１０に適用できる弾発性を有する素材として樹脂が挙げられる。例えば、インサイドベルト等の芯地として使用されるナイロンやポリエステル等の樹脂製の織物をその延在方向に沿った中心線で折り返したもの、又は互いに固定されるように２枚の樹脂製の織物を重ねたものを芯材１０として使用することができる。このように、各々の芯材１０を二重構造にすることにより、湾曲したときに、内周長と外周長との差によって、元の形状に戻ろうとする力が作用し、所望の弾発性を得られやすくなる。また、二重構造により弾発性を確保することによって、耐クリーニング性や、縫製又は接着容易性等の衣服への使用が適することが実証されている衣服用の芯地を、各々の芯材１０の素材として使用することができる。なお、各々の芯材１０を、ズボン１本体の表地や裏地等の生地で包んで、芯材１０を保護し、肌触りを良くしてもよい。なお、各々の芯材１０は、所望の弾発性を有すれば１重の構造でもよく、また、樹脂製の織物を延在方向に沿った線で２回以上折り返し、又は３枚以上互いに固定するように折り返した３重以上の構造としてもよい。
【００２３】
１対の芯材１０，１０の上下方向の長さは、調整したい股下寸法の間隔に合わせて決定され、例えば２〜６ｃｍ程度とすることができ、好ましくは、２．５〜４．５ｃｍである。
【００２４】
図４は、左足の下端部９を円筒状に拡げた状態における上下方向及び左右方向を含む断面を後方からみた図であって、（ａ）下端部９を折り返していない状態、（ｂ）下端部９を内側に１回折り返した状態を示す図である。着用者は、下端部９を折り返すことによって、股下寸法を調整できる。下端部９は、複数回折り返しても良く、その折り返す回数によって、股下寸法を段階的に調整できる。また、下端部９を外側（表側）に折り返して股下寸法を調整してもよい。
【００２５】
股下寸法を調整するべく下端部９を内側に折り返した状態において、ズボン１が着用者に着用されたとき、芯部１３が、対応する股下部３の折り返されていない部分であって芯部１３に重なる部分から離反せず、かつ、直接に、又は股下部３の本体の折り返された部分や着用者が履いている靴下等を介して間接に着用者の脚部に当接するように、１対の芯材１０，１０の弾発力や、１対の芯材１０，１０の周方向端部同士の離間距離が設定される。このように内側に折り返した部分がたるまないようにすることにより、下端部９の１対の芯材１０，１０とともに内側に折り返された状態が安定する。従って、１対の芯材１０，１０の周方向端部同士の離間距離は、着用者の足首の太さ以下とする必要がある。なお、下端部９を内側に折り返したときに上記の条件を満たせば、下端部９を外側に折り返しても、折り返した部分がたるまず、折り返した状態が維持される。
【００２６】
デニムのような比較的厚手の生地を用いたズボンでは、裾を外側に折り返して股下寸法を調整することができるが、薄手の生地を用いたズボンでは、裾を折り返した状態が維持できない。また、薄手の生地を用いたズボンだけでなく、厚手の生地を用いたズボンであっても、裾を内側に折り返すと、外側の周長よりも内側の周長が短いことから、折り返した部分がたるんだ状態になるため、折り返した状態を維持できない。これに対して、実施形態に係るズボン１では、芯材１０の弾発力のため、内側に折り返しても外側に折り返しても、折り返した部分がたるまず、その状態を維持できる。このように、着用者は、下端部９を折り返すという簡単な作業で股下寸法を調整できる。従って、本実施形態に係るズボン１を、飲食店や販売店等の店員の制服に適用すると、後任者は、前任者と体型が異なったとしても、縫製し直すことなく前任者が着用していた制服のズボン１を自分で寸法を調整して着用することができる。
【００２７】
また、ボタン等を用いて股下寸法を調整する場合は、ボタンをつけるための糸がズボンの表面に現れるが、本実施形態に係るズボン１においては、１回以上内側に折り返せば、ズボン１の表面には芯材１０を取り付けた縫製ラインが表れない。下端部９を折り返さずに着用する場合であっても、表面における芯材１０を縫い付けた縫製ラインは、１対の股下部３，３の下縁近傍に表れるのみであるため目立たない。そのため、ズボン１の意匠性が良好となる。なお、各々の芯材１０を接着剤により下端部９の裏面に取り付けた場合は、下端部９を１対の芯材１０，１０とともに内側に折り返しても折り返さなくとも、ズボン１の表面に芯材１０を取り付けた痕跡が表れず、ズボン１の意匠性が良好となる。
【００２８】
着用者がズボン１を着用するときに足の指先を内側に折り返した部分に引掛けたとしても、１対の芯材１０，１０が弾発力を有するため、元の折り返した状態に戻りやすく、その状態が維持される。
【００２９】
弾発性を有する１対の芯材１０，１０が左右方向に対向するように配置されるため、下端部９の体軸側及び脇側が着用者の足首に当接する。そのため、左右１対の下端部９，９の体軸側が互いにこすれることが防止される。また、ズボン１を収納するとき、１対の芯材１０，１０が互いに当接するように畳めば、ズボン１が嵩張らない。
【００３０】
以上で具体的実施形態の説明を終えるが、本発明は上記実施形態に限定されることなく幅広く変形実施することができる。本発明は、ズボンだけでなく、股下部を有する他の衣服、例えば、上衣と下衣とが一体となったつなぎ等に適用することができる。芯材をズボンの裏面ではなく、表面に取り付けてもよい。各々の下端部に配置される芯材は、３つ以上としてもよい。また、各々の下端部に取り付けられる芯材は、１つでもよく、この場合、股下寸法を調整するべく下端部を内側に折り返した状態において、芯部は、対応する股下部の折り返されていない部分であって芯部に重なる部分から離反しないように構成されるが、着用者に着用されたとき、芯部は、着用者の脚部に当接しなくてもよい。また、１つの弾発力のある部材の周方向の中間に上辺から下辺に至る薄肉部を設けて、その薄肉部を易可撓性部に対応させ、残りの部分を芯材としてもよい。
【符号の説明】
【００３１】
１：ズボン（衣服）、２：股上部、３：股下部、４：前身頃、５：後身頃、６：縫い代、７：前クリーズ線、８：後クリーズ線、９：下端部、１０：芯材、１１：ベルト部、１２：ゴム区間、１３：芯部、１４：易可撓性部
【図１】
2019094600.tif 000003
【図２】
2019094600.tif 000004
【図３】
2019094600.tif 000005
【図４】
2019094600.tif 000006
【手続補正書】
【提出日】平成30年10月25日(2018.10.25)
【手続補正１】
【補正対象書類名】特許請求の範囲
【補正対象項目名】全文
【補正方法】変更
【補正の内容】
【特許請求の範囲】
【請求項１】
着用者の脚部を覆う左右１対の股下部を有し、
前記左右１対の股下部の各々の下端部は、互いの周方向端部が離間するように周方向に沿って延在して上下方向を軸とする曲げに対して弾発性を有する板状の１対の芯材が取り付けられた芯部と、前記１対の芯材の互いに離間する周方向端部間に位置して前記芯部よりも撓みやすい１対の易可撓性部とを有し、
股下寸法を調整するべく前記下端部を内側に折り返した状態において、前記芯部が、前記芯材の弾発性によって、対応する前記股下部の折り返されていない部分であって前記芯部に重なる部分から離反しないように構成されたことを特徴とする股下寸法を調整可能な衣服。
【請求項２】
前記１対の芯材は、互いに左右に対向し、
股下寸法を調整するべく前記下端部を内側に折り返した状態において、前記着用者に着用されたとき、前記芯部が、直接又は間接に前記脚部に常時当接するように構成されたことを特徴とする請求項１に記載の衣服。
【請求項３】
前記左右１対の股下部の各々は、前記易可撓性部を通る前後２つのクリーズ線を有し、
前記易可撓性部の周方向幅は、２ｍｍ〜１０ｍｍであることを特徴とする請求項２に記載の衣服。
【請求項４】
前記１対の芯材の各々は、その延在方向に沿った線で折り返され、又は互いに固定されるように重ねられた樹脂製の織物を含むことを特徴とする請求項１〜３のいずれか一項に記載の衣服。
【請求項５】
前記１対の芯材の各々は、前記股下部の裏面に取り付けられたことを特徴とする請求項１〜４のいずれか一項に記載の衣服。
【手続補正２】
【補正対象書類名】明細書
【補正対象項目名】０００６
【補正方法】変更
【補正の内容】
【０００６】
本発明の少なくともいくつかの実施形態に係る股下寸法を調整可能な衣服（１）は、着用者の脚部を覆う左右１対の股下部（３，３）を有し、前記左右１対の股下部の各々の下端部（９）は、互いの周方向端部が離間するように周方向に沿って延在して上下方向を軸とする曲げに対して弾発性を有する板状の１対の芯材（１０）が取り付けられた芯部（１３）と、前記１対の芯材の互いに離間する周方向端部間に位置して前記芯部よりも撓みやすい１対の易可撓性部（１４）とを有し、股下寸法を調整するべく前記下端部を内側に折り返した状態において、前記芯部が、前記芯材の弾発性によって、対応する前記股下部の折り返されていない部分であって前記芯部に重なる部分から離反しないように構成されたことを特徴とする。
【手続補正３】
【補正対象書類名】明細書
【補正対象項目名】０００８
【補正方法】変更
【補正の内容】
【０００８】
本発明の少なくともいくつかの実施形態に係る股下寸法を調整可能な衣服は、上記構成において、前記１対の芯材は、互いに左右に対向し、股下寸法を調整するべく前記下端部を内側に折り返した状態において、前記着用者に着用されたとき、前記芯部が、直接又は間接に前記脚部に常時当接するように構成されたことを特徴とする。ここで、芯部が、「直接」に着用者の脚部に当接するとは、芯部が、直接、着用者の脚部の肌に当接することを意味し、「間接」に着用者の脚部に当接するとは、股下部の本体の折り返された部分や、着用者が履いている靴下等を介して着用者の脚部に当接することを意味する。
【手続補正４】
【補正対象書類名】明細書
【補正対象項目名】００１４
【補正方法】変更
【補正の内容】
【００１４】
本発明の少なくともいくつかの実施形態に係る股下寸法を調整可能な衣服は、上記構成のいずれかにおいて、前記１対の芯材の各々は、前記股下部の裏面に取り付けられたことを特徴とする。
【手続補正書】
【提出日】平成31年2月7日(2019.2.7)
【手続補正１】
【補正対象書類名】特許請求の範囲
【補正対象項目名】全文
【補正方法】変更
【補正の内容】
【特許請求の範囲】
【請求項１】
着用者の脚部を覆う左右１対の股下部を有し、
前記左右１対の股下部の各々の下端部は、互いの周方向端部が離間するように周方向に沿って延在して上下方向を軸とする曲げに対して弾発性を有する板状の１対の芯材が取り付けられた芯部と、前記１対の芯材の互いに離間する周方向端部間に位置して前記芯部よりも撓みやすい１対の易可撓性部とを有し、
股下寸法を調整するべく前記下端部を内側に折り返した状態において、前記芯部が、前記芯材の弾発性によって、対応する前記股下部の折り返されていない部分であって前記芯部に重なる部分から離反しないように構成され、
前記１対の芯材の各々は、その延在方向に沿った線で折り返され、又は互いに固定されるように重ねられた樹脂製の織物を含むことを特徴とする股下寸法を調整可能な衣服。
【請求項２】
前記１対の芯材は、互いに左右に対向し、
股下寸法を調整するべく前記下端部を内側に折り返した状態において、前記着用者に着用されたとき、前記芯部が、直接又は間接に前記脚部に常時当接するように構成されたことを特徴とする請求項１に記載の衣服。
【請求項３】
前記左右１対の股下部の各々は、前記易可撓性部を通る前後２つのクリーズ線を有し、
前記易可撓性部の周方向幅は、２ｍｍ〜１０ｍｍであることを特徴とする請求項２に記載の衣服。
【請求項４】
前記１対の芯材の各々は、前記股下部の裏面に取り付けられたことを特徴とする請求項１〜３のいずれか一項に記載の衣服。